(57)【要約】【課題】電子機器またはその部品を被梱包物とする梱包体において、箱体を開梱したときに内容物の上下の姿勢を直感的に認識できるようにした梱包体を提供する。【解決手段】箱体１０の開放部１６の蓋体１６ｂを開けて開放口１６ａを開口させると、開放口１６ａに内容物２０となる下部緩衝体３０の開放側部３３と上部緩衝体４０の開放側部４３が現れる。上部緩衝体４０の開放側部４３には、被梱包物の一部を目視できる欠損部（ｃ）（ｄ）が現れるが、下部緩衝体３０の開放側部３３には欠損部が現れない。そのため、蓋体１６ｂを空けた時点で、梱包体１が上下正しい向きであるか否かを直感的に理解できる。【選択図】図１
2019031296.tif 000002
【特許請求の範囲】
【請求項１】
発泡樹脂で形成されて電子機器またはその部品を被梱包物として保持する緩衝体と、前記緩衝体を収納する紙製の箱体と、を有する梱包体において、
前記緩衝体は、下部緩衝体と１つまたは複数の上部緩衝体とに分離可能とされ、前記被梱包物を保持する保持空間が、前記下部緩衝体と前記上部緩衝体の双方に連通して形成されており、
前記下部緩衝体と前記上部緩衝体が、前記箱体の開放口に対向する開放側部を有しており、前記被梱包物を目視できる欠損部が、前記下部緩衝体の前記開放側部に形成されておらず、前記上部緩衝体の前記開放側部に形成されていることを特徴とする梱包体。
【請求項２】
前記下部緩衝体は、前記開放側部を除く３面の側部と底部とを有し、前記上部緩衝体は、前記開放側部を除く３面の側部と天井部とを有しており、
前記上部緩衝体の前記３面の側部および前記天井部に形成される前記欠損部の面積の合計が、前記下部緩衝体の前記３面の側部および前記底部に形成されている前記欠損部の面積の合計よりも大きい請求項１記載の梱包体。
【請求項３】
前記下部緩衝体の前記３面の側部および前記底部のいずれにも、前記欠損部が形成されていない請求項２記載の梱包体。
【請求項４】
前記上部緩衝体は、前記開放側部を含む４面の側部および前記天井部の全てに前記欠損部が形成されている請求項１ないし３のいずれかに記載の梱包体。
【発明の詳細な説明】
【技術分野】
【０００１】
本発明は、車載用スピーカなどの電子機器またはその部品が発泡樹脂で形成された緩衝体に保持され、さらに緩衝体が紙製の箱体の内部に収納された梱包体に関する。
【背景技術】
【０００２】
特許文献１に、カーステレオセットを収納する包装箱に関する発明が記載されている。
この包装箱は、箱の内部に発泡スチロール製の一対の保持部材が収納されている。それぞれの保持部材は比較的厚い板状に形成されており、その互いに対向する面に、プレーヤの前後両端部が嵌り込む嵌込凹部と、スピーカのフレームの２つの部分が嵌り込む嵌込凹部とが形成されている。プレーヤとスピーカは、一対の保持部材で上下から挟まれるようにして保持されて、包装箱の内部に収納される。
【０００３】
特許文献２に、蛍光ランプ装置の包装装置に関する発明が記載されている。
この包装装置は、一対のスペーサを有している。それぞれのスペーサの対向部分に蛍光ランプ装置に倣う孔部が形成されており、一対のスペーサが接合された状態で、前記孔部内に蛍光ランプ装置が保持される。そして、互いに接合されたスペーサが、ボール紙で形成されたケース（包装箱）の内部に収納される。
【先行技術文献】
【特許文献】
【０００４】
【特許文献１】実公平７−２３３８４号公報
【特許文献２】実開昭６３−４９３８５号公報
【発明の概要】
【発明が解決しようとする課題】
【０００５】
特許文献１に記載された包装箱は、開梱のために蓋を開けて、出し入れ口を開放させると、出し入れ口に一対の保持部材の側部が現れる。しかし、一対の保持部材は同じ寸法の板状であるため、出し入れ口に現れた一対の保持部材の側部を見ただけでは、内容物のどちらを上向きにして取り出すべきか判断するのが難しい。特許文献２に記載された包装装置も、ケースの蓋体を開けて開口部を開放したときに、一対のスペーサの側部が現れるが、それぞれのスペーサは、側部の形状と大きさが同じであるため、内容物のどちらを上向きにして取り出すべきか判断するのが難しい。
【０００６】
車載用スピーカなどの電子機器やその部品を収納している梱包体では、２つの保持部材（２つのスペーサ）のうちの重力方向に向けられる下側の保持部材で内容物を強い力で保持させ、上側に位置する保持部材は、内容物から容易に取り外せるように比較的弱い力で保持することが好ましい。しかし、特許文献１および特許文献２に示すものは、内容物の上下の区別がつきにくいため、包装箱から内容物が上下逆向きの姿勢で取り出されることが起こりやすい。本来は下部に位置すべき保持部材（スペーサ）が上部に位置したまま、包装箱の出し入れ口から内容物が引き出されてしまうと、本来は上側に位置すべき保持部材（スペーサ）が自重で脱落し、これに伴って、電子機器やその部品も脱落することが生じやすい。
【０００７】
本発明は上記従来の課題を解決するものであり、箱体の開放口を開放させた時点で、内容物の上下の向きを認識しやすく、上下の向きが正しい姿勢で内容物を取り出すことができる梱包体を提供することを目的としている。
【課題を解決するための手段】
【０００８】
本発明は、発泡樹脂で形成されて電子機器またはその部品を被梱包物として保持する緩衝体と、前記緩衝体を収納する紙製の箱体と、を有する梱包体において、
前記緩衝体は、下部緩衝体と１つまたは複数の上部緩衝体とに分離可能とされ、前記被梱包物を保持する保持空間が、前記下部緩衝体と前記上部緩衝体の双方に連通して形成されており、
前記下部緩衝体と前記上部緩衝体が、前記箱体の開放口に対向する開放側部を有しており、前記被梱包物を目視できる欠損部が、前記下部緩衝体の前記開放側部に形成されておらず、前記上部緩衝体の前記開放側部に形成されていることを特徴とするものである。
【０００９】
本発明の梱包体は、前記下部緩衝体が、前記開放側部を除く３面の側部と底部とを有し、前記上部緩衝体が、前記開放側部を除く３面の側部と天井部とを有しており、
前記上部緩衝体の前記３面の側部および前記天井部に形成される前記欠損部の面積の合計が、前記下部緩衝体の前記３面の側部および前記底部に形成されている前記欠損部の面積の合計よりも大きいものとして構成できる。
【００１０】
ただし、本発明は、前記下部緩衝体の前記３面の側部および前記底部のいずれにも、前記欠損部が形成されていないことが好ましい。
【００１１】
また、本発明では、前記上部緩衝体は、前記開放側部を含む４面の側部および前記天井部の全てに前記欠損部が形成されていることが好ましい。
【発明の効果】
【００１２】
本発明の梱包体は、箱体を開梱したときに開放口に現れる一対の緩衝体の開放側部のうち、下部緩衝体には内容物が見える欠損部が形成されておらず、上部緩衝体にのみ内容物が見える欠損部が形成されている。そのため、箱体を開梱した時点で、どちらを上向きとすべきか直感的に理解できるようになり、内容物が上下逆向きに引き出されることが起こりくい。
【図面の簡単な説明】
【００１３】
【図１】本発明の実施形態の梱包体において、箱体の開放部を開放させて内容物を引出している状態を示す斜視図、
【図２】箱体から引き出した内容部を示す斜視図、
【図３】図２に示す内容物を下から見た斜視図、
【図４】内容物を、図３とは前後左右を逆向きに示す斜視図、
【図５】内容物を図２と同じ向きにして、下部緩衝体と上部緩衝体を、被梱包物から離して示す分解斜視図、
【発明を実施するための形態】
【００１４】
図１に示すように、本発明の実施形態の梱包体１は、箱体１０と、箱体１０の内部に収納される内容物２０とを有している。内容物２０には、被梱包物として電子機器またはその部品が保持されている。
【００１５】
図１に示す箱体１０は紙材で形成されている。箱体１０は六面体であり、重力の向きと逆向きの上方（Ｚ１方向）に向けられるべき天井板部１１と、重力の向きである下方（Ｚ２方向）に向けられるべき底板部１２と、左方向（Ｘ１方向）に向けられる左側板部１３と、右方向（Ｘ２方向）に向けられる右側板部１４と、さらに、後方（Ｙ１方向）に向けられる後方板部１５および前方（Ｙ２方向）に向けられる開放部１６を有している。
【００１６】
開放部１６には、四角形に解放される開放口１６ａが形成されており、天井板部１１と連続する蓋体１６ｂで、開放口１６ａを開閉できるようになっている。また、左側板部１３と右側板部１４には、蓋体１６ｂの内側に折り込まれる閉鎖側片１６ｃが一体に形成されている。
【００１７】
図２ないし図４は、箱体１０の開放口１６ａからＹ２方向へ引き出された内容物２０を示している。内容物２０は、発泡スチロールなどの発泡樹脂で形成された緩衝体２１と、この緩衝体２１の内部に保持された被梱包物２２とを有している。図５の分解斜視図に示すように、被梱包物２２は、車載用スピーカシステムを構成する複数の部品で構成されている。
【００１８】
緩衝体２１は、下部緩衝体３０と上部緩衝体４０とから構成されている。図１に示すように、内容物２０が箱体１０の開放口１６ａから引き出されるときに、下部緩衝体３０が下方（Ｚ２方向）に位置し、上部緩衝体４０が上方に位置することが好ましい。実施形態の緩衝体２１は、下部緩衝体３０と上部緩衝体４０とで構造と形状が大きく相違しており、箱体１０の蓋体１６ｂを外して開放口１６ａを開放させた時点で、下部緩衝体３０が下方に位置し、上部緩衝体４０が上方に位置しているか否かを、目視にて瞬時に判別できるようになっている。
【００１９】
図５に示すように、下部緩衝体３０は、六面体であり、Ｙ２方向に向けられる開放側部３３と、Ｙ１方向に向けられる後方側部３４、およびＸ１方向に向けられる左側部３５とＸ２方向に向けられる右側部３６を有している。また、下部緩衝体３０は、Ｚ２方向に向く底部３７を有し、Ｚ１側には、上部緩衝体４０と密着して接合される接合部３１が設けられている。
【００２０】
図５に示すように、下部緩衝体３０には、接合部４１に開口して下部緩衝体３０の内部に凹状に入り込む下部保持空間３２ａ，３２ｂ，３２ｃ，３２ｄ，３２ｅが形成されている。下部保持空間３２ａには、被梱包物２２である車載用スピーカシステムを構成するウーファー本体２３の下部が嵌合して保持され、下部保持空間３２ｂにはウーファー本体２４の下部が嵌合して保持される。下部保持空間３２ｃには２個のツィーター本体２５が嵌合して保持される。下部保持空間３２ｄには、ネットワーク端末装置２６が嵌合して保持され、下部保持空間３２ｅには、取付け用部品２７が嵌合して保持される。
【００２１】
下部保持空間３２ａ，３２ｂ，３２ｃ，３２ｄはそれぞれ、接合部４１においてＺ１方向に向けて開口しているが、下部保持空間３２ａ，３２ｂ，３２ｃ，３２ｄは、開放側部３３と後方側部３４および左側部３５と右側部３６および底部３７のいずれかの箇所にも開口していない。すなわち、図２と図３および図４に示すように、下部緩衝体３０は、開放側部３３と後方側部３４および左側部３５と右側部３６の４面の側部および底部３７が、いずれも四角形の平坦な外面を有しており、４面の側部と底部の外側から、被梱包物２２を構成する各部材２３，２４，２５，２６，２７のいずれも目視することはできない。
【００２２】
上部緩衝体４０は、Ｙ２方向に向けられる開放側部４３と、Ｙ１方向に向けられる後方側部４４、およびＸ１方向に向けられる左側部４５とＸ２方向に向けられる右側部４６を有している。またＺ１方向に向く天井部４７を有している。上部緩衝体４０のＺ２側には、下部緩衝体３０と密着して接合される接合部４１が設けられている。
【００２３】
上部緩衝体４０には、下部緩衝体３０に形成された下部保持空間３２ａに連通する上部保持空間４２ａおよび下部保持空間３２ｂに連続する上部保持空間４２ｂが形成されている。また、上部緩衝体４０には、下部保持空間３２ｃに連通する上部保持空間４２ｃと下部保持空間３２ｄに連通する上部保持空間４２ｄ、および下部保持空間３２ｅに連通する上部保持空間４２ｅが形成されている。上部保持空間４２ａ，４２ｂ，４２ｃ，４２ｄ，４２ｅは、いずれも上部緩衝体４０においてＺ２方向に向く接合部４１に開放されている。
【００２４】
被梱包物２２を構成するウーファー本体２３の上部は上部保持空間４２ａに挿入されて保持され、ウーファー本体２４の上部は上部保持空間４２ｂに挿入されて保持される。ツィーター本体２５の上部は上部保持空間４２ｃに挿入されて保持され、ネットワーク端末装置２６の上部は上部保持空間４２ｃに挿入されて保持され、取付け用部品２７の上部が上部保持空間４２ｅに挿入して保持されている。
【００２５】
図２ないし図５の各図に示すように、上部緩衝体４０は、開放側部４３と後方側部４４ならびに左側部４５と右側部４６の４面の側部および天井部４７の全てにおいて、平坦面ではなく入り込み寸法の深い凹部が形成されている。この凹部を形成することにより、上部緩衝体４０には、外部から前記上部保持空間４２ａ，４２ｂ，４２ｃ，４２ｄ，４２ｅのそれぞれに通じる欠損部が設けられている。
【００２６】
図２と図３および図５に示すように、上部緩衝体４０には、開放側部４３と天井部４７の双方に向けて開放された欠損部（ｃ）（ｄ）が形成されている。欠損部（ｃ）は上部保持空間４２ｃに通じており、欠損部（ｄ）は上部保持空間４２ｄに通じている。図２と図３に示すように、下部緩衝体３０と上部緩衝体４０の内部に被梱包物２２が保持された状態で、欠損部（ｃ）を通して、ツィーター本体２５の一部を目視でき、欠損部（ｄ）を通して、ネットワーク端末装置２６の一部を目視できる。
【００２７】
図２と図３および図５に示すように、上部緩衝体４０には、左側部４５と天井部４７の双方に向けて開放された欠損部（ａ）（ｂ）が形成されている。欠損部（ａ）は上部保持空間４２ａに通じており、欠損部（ｂ）は上部保持空間４２ｂに通じている。図２と図３に示すように、下部緩衝体３０と上部緩衝体４０の内部に被梱包物２２が保持された状態で、欠損部（ａ）を通して、ウーファー本体２３の一部を目視でき、欠損部（ｂ）を通して、ウーファー本体２４の一部を目視できる。
【００２８】
図４に示すように、上部緩衝体４０には、右側部４６と天井部４７の双方に開放された欠損部（ａ）とさらに欠損部（ｃ）（ｅ）が形成されている。欠損部（ａ）は上部保持空間４２ａに通じており、欠損部（ａ）を通じてウーファー本体２３の一部を目視できる。欠損部（ｃ）は上部保持空間４２ｃに通じており、欠損部（ｅ）は上部保持空間４３ｅに通じている。欠損部（ｃ）を通して、ツィーター本体２５の一部を目視でき、欠損部（ｅ）を通して、取付け用部品２７の一部を目視できる。
【００２９】
図４に示すように、上部緩衝体４０には、後方側部４４と天井部４７の双方に開放された２か所の欠損部（ａ）が形成されている。それぞれの欠損部（ａ）は上部保持空間４２ａに通じており、それぞれの欠損部（ａ）を通して、ウーファー本体２３の一部を目視できる。
【００３０】
このように、上部緩衝体４０では、開放側部４３と後方側部４４および左側部４５と右側部４６の４面の側部に、被梱包物２２の一部を外部から目視できる欠損部が形成され、天井部４７にも被梱包物２２の一部を外部から目視できる欠損部が形成されている。
【００３１】
実施形態の梱包体１では、図１に示すように、箱体１０の開放部１６の蓋体１６ｂを外すと、開放口１６ａに、下部緩衝体３０の開放側部３３と上部緩衝体４０の開放側部４３が現れる。開放口１６ａに現れる下部緩衝体３０の開放側部３３はその四角形の側面のいずれにも極端な凹凸が形成されておらず、またいずれの欠損部も設けられていない。これに対し、上部緩衝体４０の開放側部４３には、上下に延びる溝が比較的深い凹部として現れている。さらに、上部緩衝体４０には、Ｙ２方向とＺ１方向に向く欠損部（ｃ）（ｄ）が現れ、開放口１６ａを開放させた時点で、欠損部（ｃ）を通じて内容物２０の一部であるツィーター本体２５の一部を目視でき、欠損部（ｄ）を通じてネットワーク端末装置２６の一部を目視できる。
【００３２】
図１に示すように、箱体１０の開放口１６ａを開放させた時点で、下部緩衝体３０では、平坦な開放側部３３が現れ、上部緩衝体４０では、大きな凹凸および被梱包物２２の一部が見える欠損部（ｃ）（ｄ）を有する開放側部４３が現れる。このとき、使用者は、平坦な開放側部３３が当然に下方に位置すべきであると、直感的に認識しやすい。そのため、梱包体１の開梱に際し、開放口１６ａに現れた内容物２０の開放側部３３，４３を目視しただけで、梱包体１が上下正しい姿勢となっているか否かを確認でき、内容物２０を上下正しい姿勢で取り出すことができるようになる。
【００３３】
さらに、図２に示すように、内容物２０を箱体１０から取り出したときに、上部緩衝体４０の４つの側部４３，４４，４５，４６および天井部４７の全てに凹凸部が形成され、４つの側部４３，４４，４５，４６および天井部４７の全てに、被梱包物２２の一部を目視できる欠損部（ａ）（ｂ）（ｃ）（ｄ）（ｅ）が形成されている。これに対し、下部緩衝体３０には、４つの側部３３，３４，３５，３６および底部３７に極端な凹凸が形成されておらず、被梱包物２２を目視できる欠損部も形成されていない。
【００３４】
したがって、内容物２０を箱体１０から完全に取り出した状態でも、使用者は、ほぼ完全な箱体としての形状を保っている下部緩衝体３０が当然に下方に位置すべき、と認識するようになり、箱体１０から取り出した後の内容物２０が、上下正しい姿勢となっているか否かを容易に認識できるようになる。
【００３５】
下部緩衝体３０では、開放側部３３と後方側部３４および左側部３５と右側部３６の４面の側部および底部３７に、下部保持空間３２ａ，３２ｂ，３２ｃ，３２ｄ，３２ｅに通じる欠損部が形成されておらず、下部保持空間３２ａ，３２ｂ，３２ｃ，３２ｄ，３２ｅでは、広い面積の当接部で被梱包物２２を構成する各部品の下部を強い力で保持している。これに対し、上部緩衝体４０は、開放側部４３と後方側部４４および左側部４５と右側部４６の４面の側部および天井部４７に、上部保持空間４２ａ，４２ｂ，４２ｃ，４２ｄに通じる欠損部（ａ）（ｂ）（ｃ）（ｄ）（ｅ）が形成されており、被梱包物２２を保持する力が比較的弱くなっている。すなわち、被梱包物２２を保持する保持力は、上部緩衝体４０よりも下部緩衝体３０の方が強くなっている。
【００３６】
したがって、図２と図４に示すように、内容物２０を下部緩衝体３０が下向きの正常な姿勢で取り出した後に、上部緩衝体４０を持ち上げると、被梱包物２２を下部緩衝体３０に保持させたままで、上部緩衝体４０のみを被梱包物２２から簡単な力で離すことができる。一方で、上部緩衝体４０が下向きとなった上下逆さの姿勢で、箱体１０から内容物２０を取り出し、下部緩衝体３０を保持して持ち上げるようなことがあると、下向きとなっている上部緩衝体４０が容易に落下し、被梱包物２２がその自重によって、下部緩衝体３０から抜け出て落下し、場合によって被梱包物２２に損傷を与えることもある。
【００３７】
しかし、実施形態の梱包体１では、図１に示すように、箱体１０の開放口１６ａを解放させた時点で、どちらを上向きとすべきか直感的に理解できるため、内容物２０を上下逆のままで箱体１０から取り出すことを防止しやすい。
【００３８】
本発明は前記実施形態の他に、以下の構成とすることが可能である。
実施形態では、上部緩衝体４０が単一なものとなっているが、上部緩衝体４０が複数に分割されており、それぞれが被梱包物２２から分離可能となっていてもよい。
【００３９】
実施形態では、下部緩衝体３０の４つの側面３３，３４，３５，３６および底部３７に極端な凹凸や欠損部が形成されていないが、下部緩衝体３０の開放側部３３を除く３面の側面３３，３４，３５，３６または底部３７のいずれかに凹凸が形成されていてもよい。ただし、下部緩衝体３０に形成されている凹凸の専有面積の合計は、上部緩衝体４０の凹凸の専有面積の合計よりも狭いことが必要であり、下部緩衝体３０に形成されている個々の凹部の深さ寸法は、上部緩衝体４０の凹部よりも浅いことが必要である。
【００４０】
また、下部緩衝体３０の開放側部３３を除く３面の側部３４，３５，３６と底部３７に、被梱包物２２の一部を目視できる欠損部が形成されていてもよいが、欠損部の専有面積の合計は、上部緩衝体４０における欠損部の専有面積の合計よりも狭いことが好ましい。
ただし、いずれも場合も、下部緩衝体３０の開放側部３３には、欠損部は形成されない。また、下部緩衝体３０の開放側部３３に凹凸が形成されていてもよいが、凹凸の専有面積と深さは、上部緩衝体４０の開放側部４３よりも小さいことが好ましい。
【００４１】
なお、被梱包物２２は、スピーカシステムの他に、各種車載用電子機器または車載用以外の電子機器またはその部品などであってもよい。
【符号の説明】
【００４２】
１  梱包体
１０  箱体
１６  開放部
１６ａ  開放口
１６ｂ  蓋体
２０  内容物
２１  緩衝体
２２  被梱包物
３０  下部緩衝体
３２ａ，３２ｂ，３２ｃ，３２ｄ，３２ｅ  下部保持空間
３３  開放側部
４０  上部緩衝体
４２ａ，４２ｂ，４２ｃ，４２ｄ，４２ｅ  上部開放空間
４３  開放側部
（ａ）（ｂ）（ｃ）（ｄ）（ｅ）  欠損部
【図１】
2019031296.tif 000003
【図２】
2019031296.tif 000004
【図３】
2019031296.tif 000005
【図４】
2019031296.tif 000006
【図５】
2019031296.tif 000007